(57)【要約】  【課題】縦ルーバ31による送風域の幅を広くし、縦ルーバ31が首振り動作していても利用者に風があたる時間を長くできる空気調和機11を提供する。  【解決手段】縦長の吹出口15に、複数の縦ルーバ31を左右方向に並べて首振り可能に配置する。縦ルーバ31の奥行き寸法Ａより縦ルーバ31間の間隔Ｂを大きくする。縦ルーバ31によって制御した風と縦ルーバ31間をすり抜ける風とが発生して乱流となる。乱流によって送風域の幅が広くなり、縦ルーバ31が首振り動作していても利用者に風があたる時間が長くなる。縦ルーバ31の首振りによって乱流の度合いが変化し、風が揺らぎとなって自然な風になる。  【選択図】図１
2006029625.tif 000002
【特許請求の範囲】
【請求項１】
空気が吹き出す縦長の吹出口を有する機体と、
前記吹出口に左右方向に並んで配置されるとともに左右方向へ向けて首振り可能に配置される複数の縦ルーバ、およびこれら縦ルーバを首振り動作させる首振り手段を有し、これら縦ルーバの奥行き寸法より複数の縦ルーバ間の間隔を大きくした縦ルーバユニットと
を具備していることを特徴とする空気調和機。
【請求項２】
空気が吹き出す縦長の吹出口を有する機体と、
前記吹出口の上下方向に複数段でかつ吹出口に左右方向に並んで配置されるとともに左右方向へ向けて首振り可能に配置される複数の縦ルーバ、およびこれら複数段の縦ルーバを各段毎に独立して首振り動作させる首振り手段を有し、複数段の縦ルーバの首振り動作を異ならせる縦ルーバユニットと
を具備していることを特徴とする空気調和機。
【請求項３】
縦ルーバユニットは、複数段の縦ルーバの首振り速度を異ならせることを特徴とする請求項２記載の空気調和機。
【請求項４】
空気が吹き出す縦長の吹出口を有する機体と、
前記吹出口に左右方向に並んで配置されるとともに左右方向へ向けて首振り可能に配置される複数の縦ルーバ、およびこれら縦ルーバを首振り動作させる首振り手段を有し、縦ルーバの上下方向の形状を異ならせた縦ルーバユニットと
を具備していることを特徴とする空気調和機。
【請求項５】
縦ルーバには、左右方向の向きを異ならせた複数のルーバ部を上下方向に設けたことを特徴とする請求項４記載の空気調和機。
【請求項６】
水を貯水する貯水部と、この貯水部内の水を吸水する吸水フィルタと、この吸水フィルタを通じて吹出口に送風する送風手段とを具備した冷風扇であることを特徴とする請求項１ないし５いずれか記載の空気調和機。
【発明の詳細な説明】
【技術分野】
【０００１】
本発明は、空気が吹き出す縦長の吹出口を有する空気調和機に関する。
【背景技術】
【０００２】
従来、空気調和機として、例えば冷風扇では、機体の底部に配設された貯水部内の水をこの貯水部から上下方向に回行される無端状の吸水フィルタで吸水し、この吸水フィルタの前側に軸方向を上下方向として縦形に配置された円筒形のファンの回転で、機体の後面の吸込口から空気を吸い込んで吸水フィルタを通じて機体の前面の吹出口へ向けて送風することにより、吸水フィルタの水が気化し、その際の気化熱により送風する空気の温度を下げ、冷風として吹出口から送風している（例えば、特許文献１参照。）。
【０００３】
機体の前面の吹出口は、上下方向に回行される吸水フィルタや縦形のファンなどに対応して縦長に設けられ、この吹出口に左右方向への風向を調整する縦ルーバユニットが配設されている。この縦ルーバユニットは、吹出口内に左右方向に並んで配置されるとともに左右方向へ向けて首振り可能に配置された複数の縦ルーバを有しており、さらに、これら複数の縦ルーバを首振り手段によって左右方向に自動首振り動作させたり任意の方向へ向けることができるようにしている。
【０００４】
冷風扇の吹出口は、縦長で、幅が狭く、この狭い幅内に複数の縦ルーバを配置しており、縦ルーバの奥行き寸法より縦ルーバが並ぶ間隔寸法の方が小さい関係にある。また、縦ルーバの形状は上下方向に同一であり、風を同一方向に向けるように構成されている。このようなことから、縦ルーバによる風向制御性能が高く、送風域の幅が狭く、縦ルーバが向く方向へは風が強く吹き出し、縦ルーバが向く方向以外の方向への風の吹き出しはほとんどない状態であった。
【特許文献１】実用新案登録第３０９４２４９号公報（第７−１１頁、図１−２）
【発明の開示】
【発明が解決しようとする課題】
【０００５】
上述のように、冷風扇の吹出口は、縦長で、幅が狭く、この狭い幅内に配置される複数の縦ルーバによる風向制御性能が高いため、送風域の幅が狭く、縦ルーバが向く方向へは風が強く吹き出し、縦ルーバが向く方向以外の方向への風の吹き出しはほとんどない状態であった。
【０００６】
そのため、例えば、冷風扇の前方に利用者がいて、縦ルーバを首振り動作させたときには、縦ルーバが前方を向くときだけ利用者に強い風があたるが、前方より左右に向くときには前方の利用者へはほとんど風があたらない状態となり、利用者に風があたる時間が短く、不自然なものであった。
【０００７】
本発明は、このような点に鑑みなされたもので、縦ルーバによる送風域の幅を広くでき、縦ルーバが首振り動作していても利用者に風があたる時間を長くできる空気調和機を提供することを目的とする。
【課題を解決するための手段】
【０００８】
請求項１記載の空気調和機は、空気が吹き出す縦長の吹出口を有する機体と、前記吹出口に左右方向に並んで配置されるとともに左右方向へ向けて首振り可能に配置される複数の縦ルーバ、およびこれら縦ルーバを首振り動作させる首振り手段を有し、これら縦ルーバの奥行き寸法より複数の縦ルーバ間の間隔を大きくした縦ルーバユニットとを具備しているものである。
【０００９】
そして、縦ルーバの奥行き寸法より複数の縦ルーバ間の間隔を大きくしたことにより、縦ルーバによって制御された風と縦ルーバ間をすり抜ける風とが発生して乱流となり、送風域の幅が広く、縦ルーバが首振り動作していても利用者に風があたる時間が長くなり、しかも、縦ルーバの首振りによって乱流の度合いが変化し、風が揺らぎとなって自然な風になる。
【００１０】
請求項２記載の空気調和機は、空気が吹き出す縦長の吹出口を有する機体と、前記吹出口の上下方向に複数段でかつ吹出口に左右方向に並んで配置されるとともに左右方向へ向けて首振り可能に配置される複数の縦ルーバ、およびこれら複数段の縦ルーバを各段毎に独立して首振り動作させる首振り手段を有し、複数段の縦ルーバの首振り動作を異ならせる縦ルーバユニットとを具備しているものである。
【００１１】
そして、上下方向に複数段の縦ルーバを設け、これら複数段の縦ルーバの首振り動作を異ならせることにより、複数方向に風が吹き出して送風域の幅が広く、縦ルーバが首振り動作していても利用者に風があたる時間が長くなる。
【００１２】
請求項３記載の空気調和機は、請求項２記載の空気調和機において、縦ルーバユニットは、複数段の縦ルーバの首振り速度を異ならせるものである。
【００１３】
そして、複数段の縦ルーバの首振り速度を異ならせることにより、複数方向に風が吹き出して送風域の幅が広く、縦ルーバが首振り動作していても利用者に風があたる時間が長くなる。
【００１４】
請求項４記載の空気調和機は、空気が吹き出す縦長の吹出口を有する機体と、前記吹出口に左右方向に並んで配置されるとともに左右方向へ向けて首振り可能に配置される複数の縦ルーバ、およびこれら縦ルーバを首振り動作させる首振り手段を有し、縦ルーバの上下方向の形状を異ならせた縦ルーバユニットとを具備しているものである。
【００１５】
そして、縦ルーバの上下方向の形状を異ならせたことにより、複数方向に風が吹き出して送風域の幅が広く、縦ルーバが首振り動作していても利用者に風があたる時間が長くなる。
【００１６】
請求項５記載の空気調和機は、請求項４記載の空気調和機において、縦ルーバには、左右方向の向きを異ならせた複数のルーバ部を上下方向に設けたものである。
【００１７】
そして、左右方向の向きを異ならせた複数のルーバ部を上下方向に設けて縦ルーバを構成したことにより、複数のルーバ部に応じた複数方向に風が吹き出して送風域の幅が広くなる。
【００１８】
請求項６記載の空気調和機は、請求項１ないし５いずれか記載の空気調和機において、水を貯水する貯水部と、この貯水部内の水を吸水する吸水フィルタと、この吸水フィルタを通じて吹出口に送風する送風手段とを具備した冷風扇であるものである。
【００１９】
そして、冷風があたることで涼しく感じる冷風扇の場合に、縦ルーバの首振り時に利用者に冷風があたる時間が長くなり、涼しさが向上する。
【発明の効果】
【００２０】
請求項１記載の空気調和機によれば、縦ルーバの奥行き寸法より複数の縦ルーバ間の間隔を大きくしたことにより、縦ルーバによって制御された風と縦ルーバ間をすり抜ける風とが発生して乱流となり、送風域の幅を広くでき、縦ルーバが首振り動作していても利用者に風があたる時間を長くでき、しかも、縦ルーバの首振りによって乱流の度合いが変化し、風が揺らぎとなって自然な風にできる。
【００２１】
請求項２記載の空気調和機によれば、上下方向に複数段の縦ルーバを設け、これら複数段の縦ルーバの首振り動作を異ならせることにより、複数方向に風が吹き出して送風域の幅を広くでき、縦ルーバが首振り動作していても利用者に風があたる時間を長くできる。
【００２２】
請求項３記載の空気調和機によれば、請求項２記載の空気調和機の効果に加えて、複数段の縦ルーバの首振り速度を異ならせることにより、複数方向に風が吹き出して送風域の幅を広くでき、縦ルーバが首振り動作していても利用者に風があたる時間を長くできる。
【００２３】
請求項４記載の空気調和機によれば、縦ルーバの上下方向の形状を異ならせたことにより、複数方向に風が吹き出して送風域の幅を広くでき、縦ルーバが首振り動作していても利用者に風があたる時間を長くできる。
【００２４】
請求項５記載の空気調和機によれば、請求項４記載の空気調和機の効果に加えて、左右方向の向きを異ならせた複数のルーバ部を上下方向に設けて縦ルーバを構成したことにより、複数のルーバ部に応じた複数方向に風が吹き出して送風域の幅を広くできる。
【００２５】
請求項６記載の空気調和機によれば、請求項１ないし５いずれか記載の空気調和機の効果に加えて、冷風があたることで涼しく感じる冷風扇の場合に、縦ルーバの首振り時に利用者に冷風があたる時間を長くでき、涼しさを向上できる。
【発明を実施するための最良の形態】
【００２６】
以下、本発明の一実施の形態を図面を参照して説明する。
【００２７】
図１ないし図４に第１の実施の形態を示す。図３に示すように、空気調和機としては冷風扇11を示し、この冷風扇11は、上下方向に細長い縦形の機体12を有し、機体12の底面に取り付けられた複数のキャスター13によって移動可能としている。
【００２８】
機体12の後面に図示しない縦長の吸込口が形成され、機体12の前面に長方形で縦長の吹出口15が形成されている。吸込口15には図示しないエアフィルタが装着され、吹出口15には風向調整装置として左右方向の風向を調整する縦ルーバユニット16と上下方向の風向を調整する横ルーバユニット17（図４参照）とが配設されている。
【００２９】
機体12内の中央には機外の空気を吸込口から吸い込んで吹出口15から吹き出させる送風手段19が配設されている。この送風手段19は、軸方向を上下方向として水平方向に回転する円筒形のファン20を有し、このファン20が図示しないファンモータによって回転駆動される。
【００３０】
機体12の下部には水を貯水する受皿状の貯水部22が配設され、この貯水部22には例えば機体12内に着脱可能とする運搬式の補給タンクから水が補給される。
【００３１】
機体12内の後部側で吸込口とファン20との間には吸水フィルタ24が配置されている。この吸水フィルタ24は、吸水性を有するフィルタ材によって幅広で無端状に形成され、機体12の上下に配置されたローラ25，26間に回行可能に掛け回されている。上部のローラ25はフィルタモータ27によって回転駆動され、下部のローラ26は貯水部22内に配置されている。
【００３２】
また、縦ルーバユニット16は、吹出口15内に左右方向に並んで配置される複数の縦ルーバ31を有し、これら縦ルーバ31は断面略翼形状で上下方向に細長く形成されている。
【００３３】
図４に示すように、各縦ルーバ31の上下から突設される図示しない軸部が吹出口15内の上下面に設けられる軸受孔を有する軸受部32に回転可能に支持され、各縦ルーバ31が左右方向へ向けて首振り可能に配置されている。
【００３４】
これら複数の縦ルーバ31は首振り手段33によって一体的に左右方向へ向けて自動首振り動作可能としている。首振り手段33は、各縦ルーバ31の上方に左右方向に移動可能に配置された連動部材34、およびこの連動部材34を左右方向に移動させる縦ルーバ駆動部としての縦ルーバモータ35（図３に示す）を有している。連動部材34には各縦ルーバ31の上端後部側が係合され、連動部材34の左右方向への移動によって各縦ルーバ31が左右方向に首振り動作する。
【００３５】
そして、図１に示すように、各縦ルーバ31の奥行き寸法をＡ、隣り合う縦ルーバ31間の間隔をＢとしたとき、縦ルーバ31の奥行き寸法Ａより縦ルーバ31間の間隔Ｂが大きい、Ａ＜Ｂの関係に設定されている。
【００３６】
また、図４に示すように、横ルーバユニット17は、吹出口15内で縦ルーバ31の奥側（後側）に上下方向に並んで配置されるとともに上下方向へ向けてた首振り可能に配置された複数の横ルーバ37を有している。これら複数の横ルーバ37は、図示しない連動部材を介して上下方向に一体的に首振りされ、吹出口15の前方に突出された操作レバー38によって上下方向の角度つまり上下方向の風向を調整可能としている。
【００３７】
また、図３に示すように、機体12の前面上部には冷風扇11を操作する操作部40が配設され、機体12内には冷風扇11の各動作を制御する制御部41が配置されている。
【００３８】
次に、冷風扇11の動作を説明する。
【００３９】
冷風扇11では冷風があたることで涼しく感じるので、吹出口15の前方位置に利用者がいる状態で冷風扇11を運転する。
【００４０】
図３において、冷風扇11の運転時には、フィルタモータ27の駆動により貯水部22内の水を吸水した吸水フィルタ24が回行し、図示しないファンモータの駆動によりファン20が回転し、機体12の後面の吸込口から吸い込んだ空気を、吸水フィルタ24を通じて機体12の前面の吹出口15から吹き出す。これにより、吸水フィルタ24の水が気化し、その際の気化熱により送風する空気の温度を下げ、冷風として吹出口15から送風する。
【００４１】
また、図１および図２に示すように、操作部40によって風向の左右方向への首振りを選択することにより、縦ルーバモータ35の駆動で複数の縦ルーバ31が一体的に左右方向へ首振り動作し、縦ルーバ31によって制御された風が左右方向に吹き出す。
【００４２】
このとき、縦ルーバ31の奥行き寸法Ａより縦ルーバ31間の間隔Ｂを大きくしたことにより、縦ルーバ31が左方向または右方向に向いた状態でも縦ルーバ31間には隙間があり、その縦ルーバ31間の隙間をすり抜けて前方へ吹き出す風が発生する。縦ルーバ31によって制御された風と縦ルーバ31間をすり抜ける風とが同時に発生して乱流となり、冷風の送風域の幅が広くなる。
【００４３】
そのため、吹出口15の前方位置に利用者がいる場合に、縦ルーバ31が首振り動作していても利用者に風があたる時間を長くでき、しかも、縦ルーバ31の首振りによって乱流の度合いが変化し、風が揺らぎとなって自然な風にできる。
【００４４】
なお、縦ルーバ31の片側表面に突起などを設けることにより、さらに乱流を起こさせ、縦ルーバ31の左右方向への首振り動作における往路と復路とで風に変化をつけることができる。
【００４５】
また、ファン20の回転制御によって送風に強弱を付けることにより、縦ルーバ31の首振りによって乱流の度合いがより変化し、風がより揺らいで、より自然な風にできる。
【００４６】
次に、図５および図６に第２の実施の形態を示す。
【００４７】
吹出口15の上下方向の中間に仕切部51を設け、吹出口15を上下方向に２つの吹出口部15a，15bに分割形成する。
【００４８】
上段の吹出口部15aには上段の縦ルーバ31aを左右方向に並べて首振り可能に配置し、下段の吹出口部15bには下段の縦ルーバ31bを左右方向に並べて首振り可能に配置し、これら上下段の縦ルーバ31a，31bを各段毎に独立して首振り動作させる首振り手段33a，33bを設ける。各首振り手段33a，33bは、縦ルーバモータ35a，35bをそれぞれ備える。
【００４９】
制御部41は、各首振り手段33a，33bの縦ルーバモータ35a，35bの速度を異ならせ、２段の縦ルーバ31a，31bの首振り動作を異ならせるように制御する。
【００５０】
そして、２段の縦ルーバ31a，31bの首振り動作を異ならせることにより、吹出口15からは２段の縦ルーバ31a，31bでそれぞれ制御された風が２方向に吹き出し、冷風の送風域の幅が広くなる。
【００５１】
そのため、吹出口15の前方位置に利用者がいる場合に、上段の縦ルーバ31aで制御された風と下段の縦ルーバ31bで制御された風とが異なるタイミングで利用者にあたり、縦ルーバ31a，31bが首振り動作していても利用者に風があたる時間を長くできる。
【００５２】
なお、吹出口15には上下２段に縦ルーバ31a，31bを設けたが、３段以上に設けてもよく、利用者に風があたる時間をより長くできる。
【００５３】
次に、図７および図８に第３の実施の形態を示す。
【００５４】
縦ルーバ31の上下方向の形状を異ならせたものであって、縦ルーバ31には、上下のルーバ部55，56を一体成形し、これらルーバ部55，56の角度αを例えば２０°ずらして左右方向の向きを異ならせる。
【００５５】
そして、吹出口15からは縦ルーバ31の各ルーバ部55，56でそれぞれ制御された風が２方向に吹き出し、縦ルーバ31を左右方向に首振り動作させることにより冷風の送風域の幅が広くなる。
【００５６】
そのため、吹出口15の前方位置に利用者がいる場合に、各縦ルーバ31の上側のルーバ部55で制御された風と下側のルーバ部56で制御された風とが異なるタイミングで利用者にあたり、縦ルーバ31が首振り動作していても利用者に風があたる時間を長くできる。
【００５７】
なお、縦ルーバ31の上下方向の形状を異ならせるには、上下のルーバ部55，56の角度を変えるほか、縦ルーバ31をひねった形状にしたり、突起などを設けるなどしてもよい。
【００５８】
また、第１の実施の形態における縦ルーバの奥行き寸法と間隔との関係の構成と、第２の実施の形態における複数段の縦ルーバを設ける構成と、第３の実施の形態における上下方向の形状を異ならせた縦ルーバの構成とは、適宜組み合わせて構成することが可能であり、組み合わせることによって相乗的な効果を得ることができる。
【００５９】
また、空気調和機としては、冷風扇に限らず、例えばウインド形のエアコンなど、縦長の吹出口を有する機器に適用できる。
【図面の簡単な説明】
【００６０】
【図１】本発明の第１の実施の形態を示す空気調和機の縦ルーバの向きを前方へ向けた状態の平面図である。
【図２】同上空気調和機の縦ルーバの向きを左方向へ向けた状態の平面図である。
【図３】同上空気調和機の斜視図である。
【図４】同上空気調和機の吹出口付近の平面図である。
【図５】本発明の第２の実施の形態を示す空気調和機の縦ルーバの正面図である。
【図６】同上空気調和機の斜視図である。
【図７】本発明の第３の実施の形態を示す空気調和機の縦ルーバの斜視図である。
【図８】同上空気調和機の縦ルーバの平面図である。
【符号の説明】
【００６１】
11    空気調和機としての冷風扇
12    機体
15    吹出口
16    縦ルーバユニット
19    送風手段
22    貯水部
24    吸水フィルタ
31，31a，31b    縦ルーバ
33，33a，33b    首振り手段
55，56    ルーバ部
【図１】
2006029625.tif 000003
【図２】
2006029625.tif 000004
【図３】
2006029625.tif 000005
【図４】
2006029625.tif 000006
【図５】
2006029625.tif 000007
【図６】
2006029625.tif 000008
【図７】
2006029625.tif 000009
【図８】
2006029625.tif 000010